(57)【特許請求の範囲】
【請求項１】
先端部、中央部及び後端部を有し、前記後端部に線材が取り付けられる支軸と、
前記支軸の前記中央部に設けられた空気受け部と、
前記支軸の前記先端部に設けられたガイド部と、
を備え、
前記空気受け部は、
前記支軸を中心として放射状に設けられた複数本の骨部材と、
前記複数本の骨部材に被せられ、前記後端部側から前記先端部側に向かう方向に流れる空気を受ける受圧部と、
前記複数本の骨部材の先端に設けられた第１ローラと、を備え、
前記ガイド部は、
前記支軸を中心として放射状に設けられた複数本の支持部材と、
前記支持部材の先端に設けられた第２ローラと、を備え、
前記複数本の骨部材及び前記複数本の支持部材は、前記支軸との取り付け位置を支点として開閉可能に設けられ、且つ、前記複数本の骨部材及び前記複数本の支持部材を拡げた状態で固定する固定手段をさらに備えることを特徴とする通線用先導体。
【請求項２】
前記複数本の骨部材を拡げた際の前記空気受け部の大きさは、前記複数本の支持部材を拡げた際の前記ガイド部の大きさと実質的に等しいことを特徴とする請求項１記載の通線用先導体。
【請求項３】
前記複数本の骨部材の開閉動作と、前記複数本の支持部材の開閉動作とを連動させる連動手段をさらに備えたことを特徴とする請求項１又は２に記載の通線用先導体。
【発明の詳細な説明】
【技術分野】
【０００１】
本発明は、配管内に電線やケーブル、呼び線などの線材を通す際に用いられる通線用先導体に関する。
【背景技術】
【０００２】
敷設した配管内に電線やケーブルなどを通す場合、予め配管内に呼び線を通しておき、この呼び線に電線等を取り付けて反対側から引っ張ることで、配管内に電線等を通すようにしている。しかし、予め呼び線が通されていない場合、先導体を使って呼び線を配管内に通しておく必要がある。
【０００３】
従来、先導体としては、例えば特許文献１に記載されるような円錐筒型のエア圧受体を用いるものや、特許文献２〜６に記載されるようなパラシュート型の受圧誘導体を用いるものが開示されている。いずれの先導体においても、呼び線等の線材を取り付けた先導体を配管内に挿入し、配管に空気を送り込むことでその圧力によって先導体を配管内に進めていく。そして、先導体の進行とともに線材が配管内に通されていくことになる。
【先行技術文献】
【特許文献】
【０００４】
【特許文献１】特開２０１３−２４３８９３号公報
【特許文献２】実用新案登録第３０４７５４９号公報
【特許文献３】特開２０００−１３４７５０号公報
【特許文献４】特開平９−３０８０３６号公報
【特許文献５】特開平６−１３３４２６号公報
【特許文献６】特開平６−１２１４２５号公報
【発明の概要】
【発明が解決しようとする課題】
【０００５】
しかしながら、エア圧受体やパラシュート型の受圧誘導体である先導体を用いて空気の圧力により先導体を進めていく場合、空気圧や空気の流れのバランスなどによって配管内で先導体の姿勢が乱れ、十分な圧力を得ることができず、途中から先に進まなくなることがある。特に長い配管や太めの配管など、先導体を挿入して強い圧力で空気を送り込む必要がある場合、先導体の姿勢の乱れが発生しやすく、線材を目的の位置まで通すことができないという問題がある。
【０００６】
本発明の目的は、配管内に送り込む空気の圧力を受けて、姿勢を乱すことなく確実に配管内を進むことができる通線用先導体を提供することである。
【課題を解決するための手段】
【０００７】
上記課題を解決するため、本発明の通線用先導体は、先端部、中央部及び後端部を有し、後端部に線材が取り付けられる支軸と、支軸の中央部に設けられた空気受け部と、支軸の先端部に設けられたガイド部と、を備える。そして、空気受け部は、支軸を中心として放射状に設けられた複数本の骨部材と、複数本の骨部材に被せられ、後端部側から先端部側に向かう方向に流れる空気を受ける受圧部と、複数本の骨部材の先端に設けられた第１ローラと、を備え、ガイド部は、支軸を中心として放射状に設けられた複数本の支持部材と、支持部材の先端に設けられた第２ローラと、を備えることを特徴とする。
【０００８】
このような構成によれば、通線用先導体を配管内に挿入し、挿入口から空気を送り込むことで、空気圧を空気受け部で確実に受け、ガイド部によって姿勢を乱すことなく通線用先導体を管内に進めていく。これにより、支軸の後端部に取り付けられた線材を配管内に導くことができる。
【０００９】
空気受け部は、支軸の中央部に設けられるため、通線用先導体の重心に近い位置で空気圧を受けることができる。空気受け部において空気を受ける受圧部は、複数本の骨部材に被せられているため、高い空気圧を受けても変形しにくい。また、複数本の骨部材の先端に設けられた第１ローラが配管の内壁に当たりながら転がるため、空気受け部の姿勢を維持しながら通線用先導体を滑らかかつ安定して進めていくことができる。
【００１０】
また、支軸の先端部にガイド部が設けられているため、支軸の空気受け部よりも先端側の配管内での位置をガイド部によって維持することができる。さらに、ガイド部の複数本の支持部材の先端に設けられた第２ローラが配管の内壁に当たりながら転がるため、ガイド部の姿勢を保ちながら通線用先導体を滑らかかつ安定して進めていくことができる。
【００１１】
本発明の通線用先導体において、複数本の骨部材及び複数本の支持部材は、支軸との取り付け位置を支点として開閉可能に設けられていてもよい。このような構成によれば、複数本の骨部材及び複数本の支持部材の開閉に合わせて空気受け部及びガイド部の大きさを調整することができる。これにより、様々な大きさの配管に対応して空気受け部及びガイド部の大きさを調整し、配管内に通線用先導体を導くことができる。
【００１２】
本発明の通線用先導体において、複数本の骨部材を拡げた際の空気受け部の大きさは、複数本の支持部材を拡げた際のガイド部の大きさと実質的に等しくしてもよい。このような構成によれば、空気受け部を拡げたサイズとガイド部を拡げたサイズとを揃えることができ、一定の内径を有する配管に確実に通線用先導体を導くことができる。
【００１３】
本発明の通線用先導体において、複数本の骨部材及び複数本の支持部材を拡げた状態で固定する固定手段をさらに備えていてもよい。このような構成によれば、配管の内径に合わせて空気受け部及びガイド部の大きさを固定することができ、空気受け部及びガイド部を安定して進行させることができる。
【００１４】
本発明の通線用先導体において、複数本の骨部材の開閉動作と、複数本の支持部材の開閉動作とを連動させる連動手段をさらに備えていてもよい。このような構成によれば、複数本の骨部材及び複数の支持部材のいずれか一方の大きさを調整すれば、他方の大きさも連動して調整される。これにより、空気受け部及びガイド部の大きさ調整を容易に行うことができる。
【発明の効果】
【００１５】
本発明によれば、配管内に送り込む空気の圧力を受けて、姿勢を乱すことなく確実に配管内を進むことができる通線用先導体を提供することが可能になる。
【図面の簡単な説明】
【００１６】
【図１】本実施形態に係る通線用先導体を例示する斜視図であり、（ａ）は全体構成を示す図、（ｂ）はローラ部分を示す拡大図である。
【図２】空気受け部及びガイド部の開閉状態を例示する断面図であり、（ａ）は大きく拡がった状態、（ｂ）は小さく拡がった状態を示す図である。
【図３】（ａ）〜（ｅ）は、本実施形態に係る通線用先導体を用いた通線方法を例示する断面図である。
【発明を実施するための形態】
【００１７】
以下、本発明の実施形態を図面に基づいて説明する。なお、以下の説明では、同一の部材には同一の符号を付し、一度説明した部材については適宜その説明を省略する。
【００１８】
［通線用先導体の構成］
図１（ａ）の斜視図に表したように、本実施形態に係る通線用先導体１は、配管Ｐの内部に電線やケーブル、呼び線などの線材Ｗを通す際に用いられる器具である。配管Ｐ内に空気Ａを送り込むことで空気Ａの圧力によって通線用先導体１を配管Ｐ内で推進させ、線材Ｗを送り込むようにする。このような本実施形態に係る通線用先導体１の主要な構成は、支軸１０、空気受け部２０及びガイド部３０である。
【００１９】
支軸１０は、先端部、中央部及び後端部を有する細い棒状の部材である。支軸１０は、丸棒でも、角棒でもよい。支軸１０の後端部には、線材Ｗを取り付けるための例えばリング１１が設けられる。支軸１０の材料としては、例えばカーボン繊維強化プラスチック（ＣＦＲＰ）などの樹脂、アルミニウムなどの金属、竹などの木材が用いられる。
【００２０】
空気受け部２０は、支軸１０の中央部に設けられる。空気受け部２０は、支軸１０を中心として放射状に設けられた複数本の骨部材２１と、複数本の骨部材２１に被せられた受圧部２２と、複数本の骨部材２１のそれぞれの先端に設けられた第１ローラＲ１とを備える。
【００２１】
骨部材２１は、支軸１０との接続端から先端にかけて、傘の骨のように湾曲している。すなわち、骨部材２１の接続端側は、支軸１０に対して放射状に伸びるとともに、先端に向かうに従い徐々に支軸１０の後端側に湾曲している。複数の骨部材２１の材料としては、例えばＣＦＲＰなどの樹脂、アルミニウムなどの金属、竹などの木材が用いられる。
【００２２】
受圧部２２は、複数本の骨部材２１に被せられるように取り付けられる。受圧部２２は、支軸１０の後端部側から先端部側に向かう方向に流れる空気Ａを受ける部分である。受圧部２２を複数本の骨部材２１に被せることで、空気受け部２０の形状が傘やパラシュートのようになる。このように、受圧部２２が複数本の骨部材２１に被せられているため、受圧部２２に高い空気圧が加わっても変形しにくい。受圧部２２の材料としては、例えばビニールや布が用いられる。
【００２３】
各骨部材２１の先端に設けられた第１ローラＲ１は、配管Ｐの内壁と接して配管Ｐの延びる方向に転がりやすいよう設けられる。図１（ｂ）に示すように、第１ローラＲ１として、例えばキャスター１５が用いられる。キャスター１５は、車輪１５ｒを外向きにして骨部材２１の先端に設けられる。キャスター１５は、車輪１５ｒの向きが固定の固定車であっても、車輪１５ｒの向きが自由の自由車であってもよい。第１ローラＲ１が配管Ｐの内壁に当たりながら転がるため、配管Ｐ内において空気受け部２０の姿勢を維持しながら滑らかかつ安定して進めることができる。なお、キャスター１５が固定車であれば転がりの方向安定性が高まり、自由車であれば配管Ｐの内壁の凹凸や、内壁から受ける反力に柔軟に追従することができる。
【００２４】
このような構成を備えた空気受け部２０は、支軸１０の中央部に設けられるため、通線用先導体１の重心に近い位置で空気圧を受けることができる。このため、空気受け部２０で空気圧を受けて支軸１０が配管Ｐ内を進む際、空気圧による推進力がバランスよく支軸１０に伝わることになる。
【００２５】
ガイド部３０は、支軸１０の先端部に設けられる。ガイド部３０は、支軸１０を中心として放射状に設けられた複数本の支持部材３１と、複数本の支持部材３１のそれぞれの先端に設けられた第２ローラＲ２とを備える。
【００２６】
支持部材３１は、支軸１０の先端部から後方に斜めに延びるよう設けられる。複数の支持部材３１の材料としては、例えばＣＦＲＰなどの樹脂、アルミニウムなどの金属、竹などの木材が用いられる。
【００２７】
各支持部材３１の先端に設けられた第２ローラＲ２は、配管Ｐの内壁と接して配管Ｐの延びる方向に転がりやすいよう設けられる。第２ローラＲ２も第１ローラＲ１と同様に、図１（ｂ）に示すようなキャスター１５が用いられる。第２ローラＲ２が配管Ｐの内壁に当たりながら転がるため、配管Ｐ内において通線用先導体１の姿勢を維持しながら滑らかかつ安定して進めることができる。
【００２８】
このように、支軸１０の先端部にガイド部３０が設けられているため、空気受け部２０よりも先端側の支軸１０の位置を配管Ｐ内の中央付近に維持しておくことができる。
【００２９】
このような構成を備えた本実施形態に係る通線用先導体１では、支軸１０の中央部分を空気受け部２０の複数本の骨部材２１で支持し、支軸１０の先端部分をガイド部３０の複数本の支持部材３１で支持する。そして、配管Ｐに送り込まれた空気Ａの圧力を、支軸１０の中央部に設けられた空気受け部２０で受けて、通線用先導体１が配管Ｐ内を推進する際、支軸１０の先端部をガイド部３０によってガイドする。これにより、線材Ｗが取り付けられた支軸１０を配管Ｐ内に進めていくにあたり、通線用先導体１を安定して進めていくことができる。さらに、空気受け部２０に設けられた第１ローラＲ１及びガイド部３０に設けられた第２ローラＲ２によって配管Ｐの内壁との接触抵抗を減らして、通線用先導体１を滑らかに進めていくことができる。
【００３０】
［空気受け部及びガイド部の開閉］
本実施形態に係る通線用先導体１において、空気受け部２０及びガイド部３０の大きさは、配管Ｐの内径に合わせた固定のサイズになっていてもよいが、様々な配管Ｐの内径に合わせて調整できるようになっていてもよい。すなわち、複数本の骨部材２１及び複数本の支持部材３１が、支軸１０との取り付け位置を支点として開閉可能に設けられていてもよい。
【００３１】
例えば、図２（ａ）の断面図に表したように、内径の大きな配管Ｐについては、複数本の骨部材２１及び複数本の支持部材３１を大きく開くようにする。これにより、空気受け部２０及びガイド部３０は、配管Ｐの内径一杯に拡がることになる。
【００３２】
一方、図２（ｂ）の断面図に表したように、内径の小さな配管Ｐについては、複数本の骨部材２１及び複数本の支持部材３１を小さく開くようにする。これにより、空気受け部２０及びガイド部３０は、小さな配管Ｐの内径に合わせられる。
【００３３】
ここで、複数本の骨部材２１を拡げた際の空気受け部２０の大きさが、複数本の支持部材３１を拡げた際のガイド部３０の大きさと実質的に等しくなるようにすることが望ましい。通常、配管Ｐの内径は一定である。したがって、空気受け部２０及びガイド部３０の両方において拡がった際の大きさを配管Ｐの内径に確実にフィットさせることができる。
【００３４】
複数本の骨部材２１及び複数本の支持部材３１の開閉機構としては、スライドリング及びリンク機構などを用いて、例えば傘と同様な原理で開閉させてもよい。また、複数本の骨部材２１及び複数本の支持部材３１を拡げた際に任意の大きさで固定できるようにすることが望ましい。
【００３５】
さらに、複数本の骨部材２１及び複数本の支持部材３１の開閉を連動させる機構を設けてもよい。例えば、リンク機構によって、複数本の骨部材２１及び複数本の支持部材３１のいずれか一方を開くと、これに連動して他方が開くように構成してもよい。これにより、空気受け部２０及びガイド部３０の大きさを容易に調整することができる。
【００３６】
［支軸の長さ調整］
図示しないが、本実施形態に係る通線用先導体１において、支軸１０の長さを調整可能に設けてもよい。例えば、支軸１０を長さ方向に２分割しておき、両者間にねじによる長さ調整機構を設けておく。これにより、必要に応じて支軸１０の長さを調整することができる。
【００３７】
例えば、配管Ｐの内径が大きい場合には支軸１０を長くし、配管Ｐの内径が小さい場合には支軸１０を短くする。これにより、空気受け部２０及びガイド部３０の大きさと、支軸１０の長さとのバランスを調整して、通線用先導体１の安定性を高める。また、配管Ｐの途中に曲がっている部分がある場合、この曲がりの曲率半径が小さい場合には支軸１０の長さを短くしておく。これにより、配管Ｐの途中が曲がっていても、この曲がりに沿って通線用先導体１を滑らか推進させることができる。
【００３８】
［通線用先導体による通線方法］
次に、本実施形態に係る通線用先導体１を用いたケーブル等の敷設方法を、図３（ａ）〜（ｅ）の断面図に沿って説明する。
先ず、図３（ａ）に表したように、配管Ｐの一方の開口端Ｐ１から本実施形態に係る通線用先導体１を挿入する。この際、空気受け部２０及びガイド部３０の大きさを配管Ｐの内径に合わせておく。また、支軸１０の後端部には線材Ｗを取り付けておく。
【００３９】
次に、図３（ｂ）に表したように、配管Ｐの一方の開口端Ｐ１から配管Ｐ内に空気Ａを送り込む。空気Ａは、図示しないブロワーなどによって送り込まれる。送り込まれた空気Ａによる圧力は、配管Ｐ内で拡げられた空気受け部２０で受けられる。この空気受け部２０で受けた空気圧を推進力として、通線用先導体１は配管Ｐ内を進んでいく。
【００４０】
図３（ｃ）に表したように、配管Ｐの途中に曲がっている部分があっても、通線用先導体１は滑らかに進んでいく。本実施形態に係る通線用先導体１では、支軸１０の中央部を空気受け部２０の複数本の骨部材２１で支持し、支軸１０の先端部をガイド部３０の複数本の支持部材３１で支持している。したがって、配管Ｐ内を進む際の通線用先導体１の姿勢が安定し、配管Ｐの曲がっている部分でも安定して進むことができる。
【００４１】
さらに、各骨部材２１の先端に設けられた第１ローラＲ１及び各支持部材３１の先端に設けられた第２ローラＲ２によって、通線用先導体１は配管Ｐ内を滑らかに進むことができる。このため、配管Ｐの途中に曲がっている部分があっても、曲がりに沿って少ない抵抗で進むことができる。
【００４２】
配管Ｐの一方の開口端Ｐ１から空気Ａを送り続けることで、やがて図３（ｄ）に表したように、通線用先導体１は配管Ｐの他方の開口端Ｐ２まで達する。通線用先導体１の到達とともに、線材Ｗが配管Ｐ内に引き込まれることになる。
【００４３】
線材Ｗが敷設するケーブル等である場合には、他方の開口端Ｐ２まで達した通線用先導体１から線材Ｗを取り外すことで、ケーブル等の敷設が完了する。一方、線材Ｗが呼び線である場合、他方の開口端Ｐ２まで達した線用先導体１から呼び線を取り外し、呼び線の一方端（例えば、支軸１０に取り付けられた端）に敷設するケーブル等を取り付ける。そして、呼び線の他方端を引っ張り、配管Ｐから引き出すことで、呼び線に取り付けられたケーブル等を配管Ｐ内に引き込む。これにより、配管Ｐ内のケーブル等の敷設が完了する。
【００４４】
このように、本実施形態に係る通線用先導体１を用いることで、空気圧を利用して線材Ｗを配管Ｐ内に滑らかかつ確実に引き込むことができる。特に、配管Ｐ内で推進する通線用先導体１の姿勢を安定させることができるとともに、第１ローラＲ１及び第２ローラＲ２によって滑らかに推進できるため、例えば数ｋｍに及ぶ長い配管Ｐであっても確実に線材Ｗを引き込むことが可能になる。
【００４５】
以上説明したように、実施形態によれば、配管Ｐ内に送り込む空気Ａの圧力を受けて、姿勢を乱すことなく確実に配管Ｐ内を進むことができる通線用先導体１を提供することが可能になる。
【００４６】
なお、上記に本実施形態を説明したが、本発明はこれらの例に限定されるものではない。例えば、第１ローラＲ１及び第２ローラＲ２としてキャスター１５を用いる例を示したが、キャスター１５の代わりに回転しない球体を設けてもよい。また、前述の実施形態に対して、当業者が適宜、構成要素の追加、削除、設計変更を行ったものも、本発明の要旨を備えている限り、本発明の範囲に含まれる。
【符号の説明】
【００４７】
１…通線用先導体
１０…支軸
１１…リング
２０…空気受け部
２１…骨部材
２２…受圧部
３０…ガイド部
３１…支持部材
Ａ…空気
Ｐ…配管
Ｒ１…第１ローラ
Ｒ２…第２ローラ
Ｗ…線材
【要約】
【課題】配管内に送り込む空気の圧力を受けて、姿勢を乱すことなく確実に配管内を進むことができる通線用先導体を提供すること。
【解決手段】本発明の通線用先導体は、先端部、中央部及び後端部を有し、後端部に線材が取り付けられる支軸と、支軸の中央部に設けられた空気受け部と、支軸の先端部に設けられたガイド部と、を備える。そして、空気受け部は、支軸を中心として放射状に設けられた複数本の骨部材と、複数本の骨部材に被せられ、後端部側から先端部側に向かう方向に流れる空気を受ける受圧部と、複数本の骨部材の先端に設けられた第１ローラと、を備え、ガイド部は、支軸を中心として放射状に設けられた複数本の支持部材と、支持部材の先端に設けられた第２ローラと、を備えることを特徴とする。
【選択図】図１【図１】
0005737697.tif 000002
【図２】
0005737697.tif 000003
【図３】
0005737697.tif 000004